(57)【要約】【課題】  球面屈折異常又は円柱屈折異常を矯正するための、事前作製したプログレッシブ面及び第２プログレッシブ面を有する両面プログレッシブ眼鏡レンズについて説明されている。【解決手段】  本発明は、主注視線の近傍のプログレッシブ面の面特性が非対称であり、この非対称性は対称係数ＳＡによって決まり、この対称係数は、レベルＡとの関係で、主注視線と面非点収差が水平断面でＡ値［ｄｐｔ］に達する位置との間での短い水平距離と長い水平距離との比によって決まると言う点で特徴づけられる。
2006506661.tif 000002
【特許請求の範囲】
【請求項１】
球面屈折異常又は円柱屈折異常を矯正するための、事前作製したプログレッシブ面及び第２プログレッシブ面を有する両面プログレッシブ眼鏡レンズにおいて、主注視線の近傍のプログレッシブ面の面特性が非対称であり、前記非対称性は対称係数ＳＡによって決まり、前記対称係数は、レベルＡとの関係で、主注視線と面非点収差が水平断面でＡ値［ｄｐｔ］に達する位置との間での短い水平距離と長い水平距離との比によって決まることを特徴とする前記両面プログレッシブ眼鏡レンズ。
【請求項２】
前記プログレッシブ面の対称係数Ｓ０．３が、少なくとも１つの水平断面で０．８より小さいことを特徴とする請求項１記載の両面プログレッシブ眼鏡レンズ。
【請求項３】
０°±５°又は９０°±５°の軸位置で眼の非点収差を矯正するために前記プログレッシブ面の対称係数Ｓ０．３が、少なくとも１つの水平断面で０．８より小さいことを特徴とする請求項１記載の両面プログレッシブ眼鏡レンズ。
【請求項４】
前記プログレッシブ面の対称係数Ｓ０．２が、少なくとも１つの水平断面で０．７より小さいことを特徴とする請求項１〜３のいずれか１項に記載の両面プログレッシブ眼鏡レンズ。
【請求項５】
前記プログレッシブ面の対称係数Ｓ０．２が、少なくとも１つの水平断面で０．５より小さいことを特徴とする請求項１〜３のいずれか１項に記載の両面プログレッシブ眼鏡レンズ。
【請求項６】
前記水平断面の面非点収差が、プログレッシブ面については主注視線の左右２ｍｍの範囲で最小値を通過することを特徴とする請求項１〜５のいずれか１項に記載の両面プログレッシブ眼鏡レンズ。
【請求項７】
水平断面の面非点収差が、プログレッシブ面については主注視線の左右１ｍｍの範囲で最小値を通過することを特徴とする請求項１〜５のいずれか１項に記載の両面プログレッシブ眼鏡レンズ。
【請求項８】
水平断面の面非点収差が、最初の例とは違って、プログレッシブ面については主注視線の左右６ｍｍの範囲で更なる最小値を通過することを特徴とする請求項１〜５のいずれか１項に記載の両面プログレッシブ眼鏡レンズ。
【請求項９】
請求項１〜８のいずれか1項の中で名付けられているプログレッシブ面の特性が、ｙ＝＋３０ｍｍ〜−３０ｍｍの間に存在していることを特徴とする請求項１〜８のいずれか１項に記載の両面プログレッシブ眼鏡レンズ。
【請求項１０】
請求項１〜８のいずれか１項の中で名付けられているプログレッシブ面の特性が、ｙ＝＋２０ｍｍ〜−２０ｍｍの間に存在していることを特徴とする請求項１〜８のいずれか１項に記載の両面プログレッシブ眼鏡レンズ。
【請求項１１】
前記プログレッシブ面が、両面プログレッシブ眼鏡レンズの後側であることを特徴とする請求項１〜１０のいずれか１項に記載の両面プログレッシブ眼鏡レンズ。
【請求項１２】
前記プログレッシブ面が、両面プログレッシブ眼鏡レンズの前側であることを特徴とする請求項１〜１０のいずれか１項に記載の両面プログレッシブ眼鏡レンズ。
【請求項１３】
前記プログレッシブ面の面非点収差の勾配の水平成分が、主注視線において零ではない値を有することを特徴とする請求項１〜１２のいずれか１項に記載の両面プログレッシブ眼鏡レンズ。
【請求項１４】
面屈折力Ｄ＝０．５＊（ｎ−ｎ’）（１／ｒ１＋１／ｒ２）が、主注視線に沿って上方から下方へ減少することを特徴とする請求項１〜１３のいずれか１項に記載の両面プログレッシブ眼鏡レンズ。
【請求項１５】
次の諸工程を特徴とする両面プログレッシブ眼鏡レンズの製造方法、
−  既存のベースカーブ系から事前作製したプログレッシブ面を選択する工程、
−  請求項１〜１４のいずれか１項に記載の特性を有する第２プログレッシブ面を計算する工程、及び
−  両面プログレッシブ眼鏡レンズを作製する工程。
【発明の詳細な説明】
【技術分野】
【０００１】
本発明は、球面屈折異常又は円柱屈折異常を矯正するための、事前作製した（prefabricated）プログレッシブ面及び第２プログレッシブ面を有する両面プログレッシブ（double progressive）眼鏡レンズに関するものである。
【背景技術】
【０００２】
従来の眼鏡レンズは先行技術から知られている。眼鏡レンズは、或る限定された数のプログレッシブ面、所謂、ベースカーブ、が存在し、それを使って、球面屈折力、円柱屈折力、光軸及び加入度から成る総合的作用領域が規定されると言う点で特徴づけられる。次いで、個別作用への適応は、球面状又は非球面状、トーリック又は非トーリックである処方対象表面によって実施される。このことは、このようなプログレッシブレンズが、ベースカーブの中間部に対してのみ最適の特性を有し、このことは、特に加入度に対しても当てはまると言う欠点を有する。個別の非トーリック表面が後側に適用されるならば、先行技術の中央部領域以外の特性を改善することも可能である。
【０００３】
先行技術からは、所謂、個人別レンズ技術（ILT）によって、即ち瞳孔間距離、隔膜頂点間距離、枠前方傾斜及び枠円板角のような顧客別仕様のパラメータを考慮することによって作製されてきた、ローデンストック社（Rodenstock）製のプログレッシブレンズも知られている。この点に関しては、例えば、特許文献１、特許文献２、特許文献３及び特許文献４が挙げられる。
【０００４】
プログレッシブチャンネルの中の及び近用領域の中の等非点収差線が主線（principal lime）に実質的に平行に走っているけれども、非対称面は、トカイ（Tokai）の特許文献５に記載されていて、先行技術としても概説されている。
【０００５】
また、使用状態での非点収差は面非点収差と類似の構造を有する。
【０００６】
特許文献６がプログレッシブ眼鏡レンズを記載していて、このレンズでは、屈折力の変化に寄与する少なくとも１個の表面の面非点収差の大きさが、水平面を持つ眼鏡レンズの少なくとも１個の断面に沿って、主線から４ｍｍ以下の距離にある局所的最大値、及び主線上にはない少なくとも１個の局所的最小値を有し、主線からの距離は局所的最大値の距離より大きい。
【０００７】
本明細書で先行技術と呼ばれる文献は、片面プログレッシブ（single progressive）眼鏡レンズを意味する。
【特許文献１】国際公開第０１／８１９８５Ａ２号
【特許文献２】国際公開第０１／８１９８１Ａ２号
【特許文献３】国際公開第０１／８１９８２Ａ２号
【特許文献４】国際公開第０１／８１９７９号
【特許文献５】米国特許第６，０７４，０６１号明細書
【特許文献６】国際公開第９８／０１７８７号
【発明の開示】
【発明が解決しようとする課題】
【０００８】
球面屈折異常又は円柱屈折異常を矯正するための、各作用に対して最適な特性を有する事前作製したプログレッシブ面及び第２プログレッシブ面を有する両面プログレッシブ眼鏡レンズを規定することが本発明の目的である。
【課題を解決するための手段】
【０００９】
この目的は、主注視線（principal line of sight）の近傍のプログレッシブ面の面特性は非対称であり、この非対称性は対称係数ＳＡによって決まり、このＳＡは、レベルＡとの関係で、主注視線と面非点収差が水平断面で値Ａ［ｄｐｔ（ディオプトリ）］に達する個所との間での短い水平距離と長い水平距離との比によって決まると言う事実によって達成される。
【００１０】
こうして、第２プログレッシブ面は、事前作製したプログレッシブ面に加えて最適化され、事前作製したプログレッシブ面の位置によって決まるが、前面又は後面に第２プログレッシブ面を配置することが可能である。この第２プログレッシブ面は、主注視線の近傍の面特性の高レベルの非対称性によって特徴づけられる。このような前記の特性は、連続的最適結像特性を達成するために必須である。これによって、全ての作用の組み合わせに対して正確に加入度を設定することも可能である。
【００１１】
更なる目的は、両面プログレッシブ眼鏡レンズの製造方法を規定することである。この目的は、
−  既存のベースカーブ系から事前作製したプログレッシブ面を選択すること、
−  請求項１〜１４記載の特性を有する第２プログレッシブ面を計算すること、及び
−  両面プログレッシブ眼鏡レンズを作製すること、
によって達成される。
【００１２】
主注視線又は設計線は、プログレッシブ領域の中のベースカーブの中間部に対する主注視線に適応するのが最適である。比較的古いレンズでは主線は平面曲線であり、一方、最近のプログレッシブレンズでは主線は三次元の湾曲曲線であり、その曲線ではインセット（inset）はベースカーブによって及び表面の加入度によって決まる。
【００１３】
前面であっても後面であってもよく、１ｄｐｔの加入度用に設計される事前作製したプログレッシブ面が、２ｄｐｔの加入度の両面プログレッシブレンズ用に使用されるならば、プログレッシブ面での主線の進路は、得られる主注視線の進路とは異なる。既に存在しているプログレッシブ面が平面主線を有しようが、湾曲主線を有しようがこの場合は重要ではない。
【００１４】
事前作製したプログレッシブ面では、主注視線は、面非点収差が最小ではない領域に侵入する。従って、大きさ及び方向に関して事前作製したプログレッシブ面の面非点収差を正確に補償すると言う趣旨で、第２プログレッシブ面に面非点収差を導入することが必要である。両面プログレッシブレンズが、当初の表面の芯合わせ十字形を使って芯合わせされると、前記領域は下方プログレッシブ領域、即ち近用領域に配置される。芯合わせが合わないと、前記領域は遠用領域に入るまで上方へも移動できる。
【００１５】
更に、主注視線での事前作製したプログレッシブ面の面非点収差の勾配を書き留めることは必要であり、これは、時々、重要な数値の前提となることがある。従って、その勾配は、ほぼ水平で且つ対称である結像特性を確実にするために、第２プログレッシブ面によって補償されなければならない。この結果は、プログレッシブチャンネルの少なくとも下方半分で、一般に、顕著な非対称性を示す特徴のある表面形状であり、このことは、一般に、片面プログレッシブ眼鏡レンズの表面では不足している。更に、更なる最適化表面が、湾曲した主線を有することは極めて有用である。説明した非対称性は次のパラメータによって特徴づけることができる：
【００１６】
ｄｘＬＡは、主注視線の左側で（鼻側で）、面非点収差がＡの値に達する位置における主注視線との間の水平距離であり、一方、ｄｘＲＡは、主注視線の右側で（側頭側で）、面非点収差がＡの値に達する位置における主注視線との間の水平距離である。
ｄｘＭａｘＡは前記の２個の距離の長い方であり、一方、
ｄｘＭｉｎＡは前記の２個の距離の短い方である：
ｄｘＭａｘＡ＝最大（ｄｘＬＡ、ｄｘＲＡ）及び
ｄｘＭｉｘＡ＝最小（ｄｘＬＡ、ｄｘＲＡ）。
【００１７】
比、即ち対称係数、
ＳＡ＝ｄｘＭｉｎＡ／ｄｘＭａｘＡ
は、更に、表面の非点収差の形状の対称性又は非対称性の尺度である。対称係数が１からの偏差が大きければ大きいほど、この表面の非対称性はそれだけ大きい。面が対称であれば全てのレベルで１．０の対称係数を有する。
【００１８】
プログレッシブ面の対称係数Ｓ０．３が少なくとも１つの水平断面で０．８未満であること、そして０°±５°又は９０°±５°の軸位置で眼の非点収差を矯正するためには、プログレッシブ面の対称係数Ｓ０．３が少なくとも１つの水平断面で０．８より小さいことが好ましい。
【００１９】
更に、プログレッシブ面の対称係数Ｓ０．２は、少なくとも１つの水平断面で０．７より小さい、そして特に０．５より小さくあるべきである。
【００２０】
水平断面の面非点収差は、プログレッシブ面については主注視線の左右２ｍｍの範囲で最小値を通過すべきであり、そして、水平断面の面非点収差は、プログレッシブ面については主注視線の左右１ｍｍの範囲で最小値を通過することが好ましい。
【００２１】
更に、水平断面の面非点収差は、最初の例とは違って、プログレッシブ面については主注視線の左右６ｍｍの範囲で更なる最小値を通過できる。
【００２２】
プログレッシブ面の前述の特性は、ｙ＝＋３０ｍｍと−３０ｍｍとの間に存在しているべきであり、プログレッシブ面の前記特性は、ｙ＝＋２０ｍｍと−２０ｍｍとの間に存在しているときが好ましい。
【００２３】
第２プログレッシブ面は、両面プログレッシブ眼鏡レンズの後側でも前側でもよい。更に、プログレッシブ面の面非点収差の勾配の水平成分は、主注視線では、零ではない値を有する。
【００２４】
更に、両面プログレッシブ眼鏡レンズは、面屈折力、
Ｄ＝０．５＊（ｎ−ｎ’）（１／ｒ１＋１／ｒ２）が、主注視線に沿って上部から下部へと減少する点において特徴づけられる。
【００２５】
本発明の全体的概念を制約することなく、例示の実施態様を使い図面を参照しながら下記の実施例で本発明を説明していて、さらに、本文の中で必ずしも本発明の詳細の全てがより詳細に説明されている訳ではない開示についても明白に言及している。
【発明を実施するための最良の形態】
【００２６】
図１から明らかなように、使用状態で、主注視線に対してほぼ対称である非点収差の曲線が水平断面で得られる。この例では、主注視線は前面座標系でｘ＝−２．７ｍｍである。使用状態でのこのような対称挙動はプログレッシブレンズに特有のものである。図２は、使用状態でのｙ＝−１３ｍｍの水平断面で面非点収差がある両面プログレッシブ眼鏡レンズの後面を示している。主注視線は垂直な線であり、この線はＨＢＬで表わされている。ＨＢＬは、後面ではｘ＝−２．５ｍｍに位置している。水平距離ｄｘＬＡ及びｄｘＲＡはＡ＝０．５、０．３及び０．２ｄｐｔで表わされている。鼻側はこの図では左側に位置する。図２から明らかなように、後面は、主注視線の周辺では対称性が完全に失われてしまっている。主注視線は、後面座標系ではｘ＝−２．５ｍｍに位置していて、全体の最小値の約０．５ｍｍ左側にある。後面が所与の前面に適合されないで、前面が所与の後面に適合されるとき、極めて似た非対称像が生成する。
【００２７】
例示の表面の場合、０．２ｄｐｔのレベルでは、左側距離ｄｘＬ０．２＝６．５ｍｍで右側距離ｄｘＲ０．２＝３．０ｍｍである。これによってＳ０．２＝０．４６の対称係数が得られる。０．３ｄｐｔのレベルでは、左側距離ｄｘＬ０．３＝９．０ｍｍで右側距離ｄｘＲ０．３＝５．１ｍｍである。これによって得られる対称係数はＳ０．３＝０．５７である。０．５ｄｐｔのレベルでは、左側距離ｄｘＬ０．５＝１０．９ｍｍで右側距離ｄｘＲ０．５＝１０．２ｍｍである。これによって得られる対称係数はＳ０．５＝０．９４である。
【００２８】
このことは、説明した非対称性が、主線の極めて近傍の特性であり、外側へ向かって、即ち非点収差のレベルが上昇するにつれて、低下することを示している。図２において、水平距離が更に短くなると、全て主注視線の右側に配置される。それらは、垂直軸で反射されるレンズでは全て左側に配置されるが、対称係数は同じである。従って、対称係数は、座標系、及び垂直移動軸の周りの反射作用とは無関係である表面の（非）対称性の尺度である。
【００２９】
図３（ａ）／３（ｂ）及び４（ａ）／４（ｂ）は、各々、非対称後面及び前面の例示の実施態様を示していて、これらの面は、各々、事前作製した前面及び後面に付け加えられている。内側の近用領域の水平対称性からの著しい偏差は、図３（ｂ）及び４（ｂ）から明確に判る。
【図面の簡単な説明】
【００３０】
【図１】使用状態でのｙ＝−１３ｍｍの水平断面で面非点収差がある両面プログレッシブ眼鏡レンズの前面を示す図である。
【図２】使用状態でのｙ＝−１３ｍｍの水平断面で面非点収差がある両面プログレッシブ眼鏡レンズの後面を示す図である。
【図３】所与の前面に加えられた非対称後面の例示を示す図で、（ａ）及び（ｂ）は各実施態様を示す図である。
【図４】所与の後面に加えられた非対称前面の例示を示す図で、（ａ）及び（ｂ）は各実施態様を示す図である。
【図１】
2006506661.tif 000003
【図２】
2006506661.tif 000004
2006506661.tif 000005
2006506661.tif 000006
2006506661.tif 000007
2006506661.tif 000008
【国際調査報告】
2006506661.tif 000009
2006506661.tif 000010
2006506661.tif 000011
2006506661.tif 000012
2006506661.tif 000013
2006506661.tif 000014